(57)【要約】【課題】第１の遮蔽材及び第２の遮蔽材を備えたブラインドに複数の動作を行わせるべく、第１の操作部及び第２の操作部を備えたブラインドの操作装置において、複数の操作部がどの動作に対応するものかを識別することができるようにする。【解決手段】第１の操作グリップ３０ａと第２の操作グリップ３０ｂは、それぞれ第１グリップ部品３２と第２グリップ部品３４とが組み立てられるなるグリップであり、第１グリップ部品３２と第２グリップ部品３４には、それぞれ異なる識別手段３２ａ、３４ａが設けられ、第１の操作グリップ３０ａと第２の操作グリップ３０ｂは、上下を反転した対称関係にある。【選択図】  図３
2004229838.tif 000002
【特許請求の範囲】
【請求項１】
第１の遮蔽材（２０）及び第２の遮蔽材（２２）を備え、第１の遮蔽材（２０）及び第２の遮蔽材（２２）にそれぞれ第１の昇降コード（２４ａ）及び第２の昇降コード（２４ｂ）が連結されてなるブラインドの遮蔽材（２０、２２）の昇降を選択的に行わせるべく、第１の昇降コード（２４ａ）及び第２の昇降コード（２４ｂ）にそれぞれ連結された第１の操作部（３０ａ）及び第２の操作部（３０ｂ）を備えたブラインドの操作装置において、
第１の操作部（３０ａ）及び第２の操作部（３０ｂ）の少なくとも一方の操作部には、識別手段が設けられることを特徴とするブラインドの操作装置。
【請求項２】
第１の操作部（３０ａ）と第２の操作部（３０ｂ）の少なくとも一方には、その上側に識別手段（３２ａ、３４ａ）が設けられていることを特徴とする請求項１記載のブラインドの操作装置。
【請求項３】
第１の操作部（３０ａ）と第２の操作部（３０ｂ）は、上下を反転した対称関係にあることを特徴とする請求項１または２記載のブラインドの操作装置。
【請求項４】
ブラインドに複数の動作を行わせるべく、第１の操作部（３０ａ）及び第２の操作部（３０ｂ）を備えたブラインドの操作装置において、
第１の操作部（３０ａ）と第２の操作部（３０ｂ）にはそれぞれ、識別手段（３２ａ、３４ａ）が設けられており、第１の操作部（３０ａ）と第２の操作部（３０ｂ）は上下を反転した対称関係にあることを特徴とするブラインドの操作装置。
【請求項５】
第１の操作部（３０ａ）と第２の操作部（３０ｂ）は、それぞれ第１グリップ部品（３２）と第２グリップ部品（３４）とが組み立てられるなるグリップであり、第１グリップ部品（３２）と第２グリップ部品（３４）は、それぞれ異なる識別手段（３２ａ、３４ａ）が設けられることを特徴とする請求項１ないし４のいずれか１項に記載のブラインドの操作装置。
【請求項６】
第１の操作部（３０−３ａ）と第２の操作部（３０−３ｂ）は、それぞれ２つの同じグリップ部品（３２−３）が組み立てられてなるグリップであり、該部品（３２−３）には、上下で非対称な識別手段（３２−３ａ、３２−３ｂ）が設けられることを特徴とする請求項１ないし４のいずれか１項に記載のブラインドの操作装置。
【発明の詳細な説明】
【０００１】
【発明の属する技術分野】
本発明は、複数の遮蔽材を備え及び／または複数の操作を行うブラインドを操作するために、複数の操作部を備えたブラインドの操作装置に関する。
【０００２】
【従来の技術】
従来、この種のブラインドとして、ヘッドボックスの前後の壁に第１の生地及び第２の生地が取り付けられ、ヘッドボックスから昇降可能に垂下され、それぞれの生地に連結される第１及び第２の昇降コードの一端部が、それぞれの生地の後面側に配されるようにした多重生地使いのローマンシェードが知られている（特許文献１参照。）。
【０００３】
特許文献１に記載されたローマンシェードでは、ヘッドボックスの第１端部から垂下された第１の昇降コードの他端部に連結された第１の操作部を操作し、またはヘッドボックスの第２端部から垂下された第２の昇降コードの他端部に連結された第２の操作部を操作することによって、それぞれ第１の生地を昇降させたり、第２の生地を昇降させたりすることができるようになっている。
【０００４】
【特許文献１】
特開２００１−２１１９９３号公報
【０００５】
【発明が解決しようとする課題】
上記特許文献１に示されたローマンシェードでは、第１の操作部は、ヘッドボックスの第１端部に、第２の操作部はヘッドボックスの第２端部にそれぞれ別れて配置されており、よって、操作者は、操作したい遮蔽材に対応する操作部が配置されたヘッドボックスの端部へと移動して対応する操作部を操作する。
【０００６】
これに対して、複数の操作部を隣接させて集中的に配置することも可能であり、その場合に、操作者は移動することなく、同じ位置で複数の遮蔽材を操作することができるため、使い勝手が向上する。しかしながら、複数の操作部が隣接するために、どの操作部がどの遮蔽材に対応するのかが分かり難く、誤った遮蔽材を操作するおそれが高いという問題がある。
【０００７】
また、かかる問題を回避するための手段として、昇降コードを色分けして対応する遮蔽材を識別することもできるが、あまり明るくない所で配回し作業を行う場合、色分けした昇降コードは見分けにくく、色分けした昇降コードの部品管理の手間がかかるという問題がある。
【０００８】
本発明はかかる課題に鑑みなされたもので、第１の目的は、複数の操作部がどの動作を行わせるものであるかを識別することができるブラインドの操作装置を提供することである。
【０００９】
また、第２の目的は、第１の目的に加えて、部品管理を容易にすることができるブラインドの操作装置を提供することである。
【００１０】
【課題を解決するための手段】
前述した目的を達成するために、請求項１記載の発明は、第１の遮蔽材及び第２の遮蔽材を備え、第１の遮蔽材及び第２の遮蔽材にそれぞれ第１の昇降コード及び第２の昇降コードが連結されてなるブラインドの遮蔽材の昇降を選択的に行わせるべく、第１の昇降コード及び第２の昇降コードにそれぞれ連結された第１の操作部及び第２の操作部を備えたブラインドの操作装置において、
第１の操作部及び第２の操作部の少なくとも一方の操作部には、識別手段が設けられることを特徴とする。
【００１１】
少なくとも一方の操作部に識別手段を設けることにより、操作部を瞬時に識別させることができ、対応する操作部を判別可能とすることで誤操作を防ぐことができる。尚、「第１の操作部及び第２の操作部の少なくとも一方の操作部には、識別手段が設けられる」とは、それぞれの操作部に異なる識別手段が設けられる態様のみならず、一方の操作部にのみ識別手段を設け、他方の操作部に識別手段を設けずに、識別手段の有無で操作部を識別させる態様も含むものである。
【００１２】
請求項２記載の発明は、請求項１記載の第１の操作部と第２の操作部の少なくとも一方には、その上側に識別手段が設けられていることを特徴とする。操作者は一般的に操作部の上部を握る傾向にあることから、操作部の上側に識別手段を設けることで、第１の操作部と第２の操作部を識別させることができる。
【００１３】
請求項３記載の発明は、請求項１または２記載の第１の操作部と第２の操作部は、上下を反転した対称関係にあることを特徴とする。これによって、第１の操作部と第２の操作部とを識別させることができる。また、操作部を構成する部品の上下を反転して使用することで、第１の操作部と第２の操作部の部品を共通化することができる。
【００１４】
請求項４記載の発明は、ブラインドに複数の動作を行わせるべく、第１の操作部及び第２の操作部を備えたブラインドの操作装置において、第１の操作部と第２の操作部には、それぞれ識別手段が設けられており、第１の操作部と第２の操作部は上下を反転した対称関係にあることを特徴とする。識別手段によって、第１の操作部と第２の操作部とを瞬時に識別させることができ、対応する操作部を判別可能とすることで誤操作を防ぐことができる。上下を反転して使用することで、第１の操作部と第２の操作部の部品を共通化することができる。
【００１５】
請求項５記載の発明は、請求項１ないし４のいずれかに記載の第１の操作部と第２の操作部が、それぞれ第１グリップ部品と第２グリップ部品とが組み立てられるなるグリップであり、第１グリップ部品と第２グリップ部品には、それぞれ異なる識別手段が設けられることを特徴とする。操作者が把持しやすいグリップとすることにより、操作者がグリップを持って操作するようになり、昇降コードの汚れを防止することができる。また、第１の操作部と第２の操作部を共通の部品で構成することができるため、部品管理を容易にし、部品管理コスト及び製造コストを低減することができる。尚、「異なる識別手段が設けられる」とは、両方のグリップ部品に異なる識別手段が設けられる態様のみならず、一方のグリップ部品に識別手段が設けられ、他方のグリップ部品に識別手段が設けられない態様も含むものである。
【００１６】
請求項６記載の発明は、請求項１ないし４のいずれかに記載の第１の操作部と第２の操作部が、それぞれ２つの同じグリップ部品が組み立てられてなるグリップであり、該部品には、上下で非対称な識別手段が設けられることを特徴とする。操作者が把持しやすいグリップとすることにより、操作者がグリップを持って操作するようになり、昇降コードの汚れを防止することができる。また、第１の操作部と第２の操作部を共通の部品で構成することができるため、部品管理を容易にし、部品管理コスト及び製造コストを低減することができる。また、単一の部品で構成されるために、部品管理をさらに容易にし、部品管理コスト及び製造コストを一層低減することができる。尚、「上下に非対称な識別手段が設けられる」とは、上下にそれぞれ異なる識別手段が設けられる態様のみならず、上及び下の一方に識別手段が設けられ、上及び下の他方に識別手段が設けられない態様も含むものである。
【００１７】
ブラインドとしては、横型ブラインド、縦型ブラインド、ローマンシェード、プリーツスクリーン、ロールスクリーン等の任意のブラインドとすることができる。また、複数の動作としては、例えば、複数の遮蔽材をそれぞれ昇降させる動作とすることができ、または、少なくとも１つの遮蔽材の昇降、回転の動作とすることができる。
【００１８】
また、識別手段としては、任意の手段とすることができるが、例えば、凹部、凸部、凹凸部等の形状特定部とすることができ、このような形状特定部とした場合には、操作者が操作部を目視せずとも握っただけで、どちらの操作部かを判定することができる。しかしながら、識別手段としては、形状特定部に限らず、色彩、模様により構成することもできる。
【００１９】
【発明の実施の形態】
以下、図面を用いて本発明の実施の形態を説明する。尚、以下の実施形態は本発明を限定するものではない。
【００２０】
図１は、本発明のブラインドの操作装置が適用されたブラインドとしてのローマンシェードを表す正面図である。ブラインドとしては、ローマンシェードに限らず、複数の遮蔽材を備えた横型ブラインド、縦型ブラインド、ローマンシェード、プリーツスクリーン、ロールスクリーン等の任意のブラインドとすることができる。
【００２１】
このローマンシェード１０は、壁面または天井面にブラケット１３によって取り付けられるヘッドボックス１２を有している。ヘッドボックス１２の前壁１２ａ及び後壁１２ｂには、それぞれ第１の生地（第１の遮蔽材）２０と第２の生地（第２の遮蔽材）２２とが取り付けられている。
【００２２】
前壁１２ａと後壁１２ｂの下部にはそれぞれ下向きの小さなコ字状をなした前側レール部１２ｃと後側レール部１２ｄとが形成されている。前側レール部１２ｃと後側レール部１２ｄには、それぞれ複数のコード挿通リング１４がヘッドボックス１２の長手方向の任意の位置に位置調整可能に取り付けられる。
【００２３】
前側レール部１２ｃに取り付けられたコード挿通リング１４には、複数本の第１の昇降コード２４ａが挿通される。各第１の昇降コード２４ａの一端部は、対応する所定のコード挿通リング１４から垂下されて、図２に示すように、第１の生地２０の後面に沿ってその後面に上下方向に所定間隔を空けて取り付けられた複数のコードリング２５ａを挿通して、上下方向に配され、第１の生地２０の下端に取り付けられたウエイトバー２６ａまたは最下端のコードリング２５ａ１に連結される。また、第１の昇降コード２４ａの他端部は、コード挿通リング１４を挿通して、ヘッドボックス１２の端部に導かれて、ストッパ２８ａを挿通した後、ヘッドボックス１２の端部から垂下されて、第１の操作グリップ（第１の操作部）３０ａに連結される。
【００２４】
同様に、後側レール部１２ｄに取り付けられたコード挿通リング１４には、複数本の第２の昇降コード２４ｂが挿通される。各第２の昇降コード２４ｂの一端部は、対応する所定のコード挿通リング１４から垂下されて、第２の生地２２の後面に沿ってその後面に上下方向に所定間隔を空けて取り付けられた複数のコードリング２５ｂを挿通して、上下方向に配され、第２の生地２２の下端に取り付けられたウエイトバー２６ｂまたは最下端のコードリング２５ｂ１に連結される。また、第２の昇降コード２４ｂの他端部は、コード挿通リング１４を挿通してヘッドボックス１２の端部に導かれて、ストッパ２８ｂを挿通した後、ヘッドボックス１２の端部から垂下されて、第１の操作グリップ３０ａに隣接された第２の操作グリップ（第２の操作部）３０ｂに連結される。
【００２５】
操作グリップ３０ａと操作グリップ３０ｂには、それぞれ識別手段としての凹凸が設けられている。即ち、操作グリップ３０ａは、第１グリップ部品３２と第２グリップ部品３４とから構成され、第１グリップ部品３２と第２グリップ部品３４は螺合することにより連結されている。そして、この第１グリップ部品３２と第２グリップ部品３４とによって形成される内部空間内に、それぞれの昇降コード２４ａ、２４ｂの端部を収納することで、昇降コード２４ａ、２４ｂが操作グリップ３０ａ、３０ｂに連結される。これらの部品３２、３４は、螺合の他に任意の連結手段により連結することができる。第１グリップ部品３２には、識別手段としての凹部３２ａが形成されており、第２グリップ部品３４は識別手段としての凸部３４ａが形成されている。そして、第１の操作グリップ３０ａは、第１グリップ部品３２が上側に第２グリップ部品３４が下側に配置され、第２の操作グリップ３０ｂは、第２グリップ部品３４が上側に第１グリップ部品３２が下側に配置され、第１の操作グリップ３０ａと第２の操作グリップ３０ｂは、上下を反転した対称関係にある。よって、識別手段としての凹部３２ａが上側か、凹部３２ｂが下側によって、第１の操作グリップ３０ａか第２の操作グリップ３０ｂかを識別することができる。
【００２６】
以上のように構成されるローマンシェードにおいて、第１の操作グリップ３０ａを握って下方に引いて、ストッパ２８ａを解除することによって、昇降コード２４ａが移動自在となり、昇降コード２４ａの一端側を昇降することにより、第１の生地２０を下降・上昇することができる。同様に、第２の操作グリップ３０ｂを握って下方に引いて、ストッパ２８ｂを解除することによって、昇降コード２４ｂが移動自在となり、昇降コード２４ｂの一端側を昇降することにより、第２の生地２２を下降・上昇することができる。
【００２７】
操作する際に、識別手段があるために、操作グリップ３０ａ、３０ｂを目視することなく、操作グリップを握った瞬間にどちらの操作部であるかを認識することができ、対応する生地２０、２２の昇降を行わせることができる。一般的に操作者は、操作グリップ３０ａ、３０ｂの上部を握る傾向にあるので、好ましくは識別手段を操作グリップ３０ａ、３０ｂの上部に設けるとよい。
【００２８】
操作グリップ３０ａ、３０ｂが操作者が把持しやすいグリップとなっていることにより、従来のように単に昇降コードを止めるコード止めのある構成とは異なり、操作者が昇降コードではなく操作グリップ３０ａ、３０ｂを直接持って操作するようになるので、昇降コードの汚れを防止することができる。また、操作グリップ３０ａ、３０ｂを同じ第１グリップ部品３２と第２グリップ部品３４とから構成して部品を共通化しているために、部品管理コスト及び製造コストを低減することができる。
【００２９】
図５ないし図７は、操作グリップの他の例である。
【００３０】
図５は、第１の操作グリップ３０−１ａと第２の操作グリップ３０−１ｂが略球形の形状をなしており、各操作グリップ３０−１ａ、３０−１ｂは、識別手段である凹部３２−１ａが形成された第１グリップ部品３２−１と、識別手段である凸部３４−１ａが形成された第２グリップ部品３４−１と、から構成され、第１の操作グリップ３０−１ａは、第１グリップ部品３２−１が上側に第２グリップ部品３４−１が下側に配置され、第２の操作グリップ３０−１ｂは、第２グリップ部品３４−１が上側に第１グリップ部品３２−１が下側に配置され、第１の操作グリップ３０−１ａと第２の操作グリップ３０−１ｂは、上下を反転した対称関係にある。
【００３１】
図６は、第１の操作グリップ３０−２ａと第２の操作グリップ３０−２ｂが第１グリップ部品３２−２と、識別手段である凹凸部３４−２ａが形成された第２グリップ部品３４−２と、から構成され、第１の操作グリップ３０−２ａは、第１グリップ部品３２−２が上側に第２グリップ部品３４−２が下側に配置され、第２の操作グリップ３０−２ｂは、第２グリップ部品３４−２が上側に第１グリップ部品３２−２が下側に配置され、第１の操作グリップ３０−２ａと第２の操作グリップ３０−２ｂは、上下を反転した対称関係にある。
【００３２】
図７は、第１の操作グリップ３０−３ａと第２の操作グリップ３０−３ｂが識別手段である凹部３２−３ａと凸部３２−３ｂが形成された２つのグリップ部品３２−３、３２−３から構成され、第１の操作グリップ３０−３ａは、凹部３２−３ａが上側になるようにグリップ部品３２−３、３２−３が配置され、第２の操作グリップ３０−３ｂは、凸部３２−３ｂが上側になるようにグリップ部品３２−３、３２−３が配置され、第１の操作グリップ３０−３ａと第２の操作グリップ３０−３ｂは、上下を反転した対称関係にある。２つのグリップ部品３２−３、３２−３は図示しない係合片及び係合凹部が互いに係合することにより結合される。この例の場合には、単一の部品３２−３だけで構成することができるため、部品管理コスト、製造コストをさらに低減することができる。
【００３３】
【発明の効果】
以上説明したように本発明によれば、複数の操作部を識別することができ、対応する操作部を判別することで誤操作を防ぐことができる。
【図面の簡単な説明】
【図１】本発明のブラインドの操作装置が適用されたローマンシェードを表す正面図である。
【図２】図１の２−２線に沿って見た断面図である。
【図３】図１の２−２線に沿って見た断面図である。
【図４】（ａ）、（ｂ）は図１の操作部の拡大図であり、（ｃ）は操作部の断面図である。
【図５】操作部の他の例を表す図３相当図である。
【図６】操作部の他の例を表す図３相当図である。
【図７】操作部の他の例を表す図３相当図である。
【符号の説明】
１０  ローマンシェード
１２  ヘッドボックス
２０  第１の生地（第１の遮蔽材）
２２  第２の生地（第２の遮蔽材）
３０ａ（３０−１ａ、３０−２ａ、３０−３ａ）  第１の操作グリップ（第１の操作部）
３０ｂ（３０−１ｂ、３０−２ｂ、３０−３ｂ）  第２の操作グリップ（第２の操作部）
３２（３２−１、３２−２）  第１グリップ部品
３２−３  グリップ部品
３２ａ（３２−１ａ、３２−３ａ、）  凹部（識別手段）
３２−３ｂ  凸部（識別手段）
３４（３４−１、３４−２）  第２グリップ部品
３４ａ（３４−１ａ）  凸部（識別手段）
３４−２ａ  凹凸部（識別手段）
【図１】
2004229838.tif 000003
【図２】
2004229838.tif 000004
【図３】
2004229838.tif 000005
【図４】
2004229838.tif 000006
【図５】
2004229838.tif 000007
【図６】
2004229838.tif 000008
【図７】
2004229838.tif 000009